(57)【要約】【課題】放送の多チャンネル化、デジタル化により、TV放送の中から、視聴者が本当に見たいTV番組を選択するのは、非常に困難である。そのため、視聴者個人が本当に見たいTV番組を見るための、特別な視聴者個人の作業を必要としない手段を提供すること。【解決手段】TV放送を受信・保存するホームサーバに、利用者の嗜好情報を取得する機能を実装する。また、その嗜好情報を抽出する規則は、抽出ルールとして、更新可能なものをInternet経由で提供する。その抽出ルールは、利用者が嗜好を示すデータを対象に、自動的に収集されプロファイルとして保管される。また、TV番組についても、同様に、iEPGデータや、放送字幕等の情報を基に、TV番組のプロファイルを収集し、目的とするTV番組を決定する。また、社会常識や、流行については、Internet経由で最新情報を入手する仕掛けを提供する。【選択図】  図２
2006203593.tif 000002
【特許請求の範囲】
【請求項１】
利用者の個人情報と利用者が参照した情報を基に利用者の嗜好を示すユーザプロファイルデータを作成し、それを予め、Internetから収集蓄積された放送番組情報を基に利用者の嗜好データの収集と同じ方法で作成された、放送番組毎の番組プロファイルデータとを比較し、利用者が望むTV放送を提示し放送受信を行うTV放送視聴システム。
【請求項２】
請求項１に記載のTV放送視聴システムにおいて、利用者が望む内容として受信したTV放送をTV放送を受信する装置に設けられた放送記憶手段に保存し、その際、放送に含まれる、字幕等のテキストデータを取得し、放送番組中の放送時間データと共に保存し、そのテキストデータを利用者の嗜好データの収集と同じ方法で番組のプロファイルデータを更新・保存することで、利用者が望むTV放送の視聴が可能なTV放送視聴システム。
【請求項３】
請求項２に記載のTV放送視聴システムにおいて、放送中の時間情報にリンクしてプロファイルデータを収集することで、録画した番組中のより興味のある箇所のみのTV視聴を可能とするTV放送視聴システム。
【請求項４】
請求項１に記載のTV放送視聴システムにおいて、利用者の嗜好データに加え、Internet上で予め蓄積した、社会常識や流行に関わるデータをInternetからそれぞれのTV放送視聴システムに取得し、利用者の嗜好情報をあわせて、放送番組毎の番組プロファイルデータと比較することで、社会常識や、流行において、その中で個人の嗜好を反映したTV番組の視聴を可能とするTV放送視聴システム。
【請求項５】
請求項４に記載のTV放送視聴システムにおいて、利用者の嗜好データについても、Internetで管理する、社会嗜好や情報に関するデータに反映する手段を設けることで、社会常識や流行に関するデータの精度を上げていくことを特徴とするTV放送視聴システム。
【請求項６】
請求項１に記載のTV放送視聴システムにおいて、利用者の嗜好データを収集する処理において、その処理に必要な抽出に関するルールを、抽出ルールとして外部から提供する手段と、そのデータそのものをInternet上の管理サーバで管理することで、必要に応じて、各TV放送視聴システムの利用者毎にその抽出ルールを提供することを可能とし、かつ利用者の嗜好に合わせて、抽出ルールが更新されていく手段を設けることで、利用者の嗜好データの収集アルゴリズムの更新が可能な機能を有するTV放送視聴システム。
【請求項７】
利用者の嗜好を示すデータを階層的に管理することで、嗜好を示すキーワードのメンテナンス性を確保し、かつその階層毎に、分野毎の嗜好テーマから、より詳細な個別嗜好テーマに対応することが可能なユーザプロファイルの管理が可能TV放送視聴システム用の嗜好データの管理方式。
【請求項８】
請求項７に記載の嗜好データの管理方式において、抽出ルールに従い抽出されたキーワードが新たなキーワードであった場合、それをInternet上の共用サーバのデータとして反映可能な機能を持つことを特徴とする嗜好データの管理方式。
【請求項９】
予め収集された利用者の職業、性別、年齢、出身地、趣味等のパーソナル情報と、その利用者の嗜好を示すユーザプロファイルを組み合わせて、Internet上の共用管理サーバに提供することで、第三者が、別の利用者のプロファイルデータを基に、視聴するTV番組の選択を可能とするTV放送視聴システム
【請求項１０】
請求項９に記載のTV放送視聴システムにおいて、利用者が提供したユーザプロファイルを、そのパーソナル情報を基にグループ化することで、特定の職業の人に特化したプロファイルを生成し、そのパーソナリティに従った視聴する番組の選択を可能とするTV放送視聴システム。
【請求項１１】
請求項９に記載のTV放送視聴システムにおいて、利用者が予め指定することで、その利用者のパーソナル情報及び、プロファイル情報のInternet上の共用管理サーバへの提供を抑止することが可能なTV放送視聴システム。
【請求項１２】
請求項９に記載のTV放送視聴システムにおいて、利用者が提供したーソナル情報と、その利用者の嗜好を示すユーザプロファイルに対価を設定し、利用者の多いパーソナル情報については、その対価をプロファイル提供者に還元することが可能なTV放送視聴システム。
【請求項１３】
家庭内等、複数の利用者を有する利用環境において、利用者が利用する操作用のリモコン及びそれに類する装置に個人を特定するIDを付加する機能を設けることで、その利用者毎の、パーソナル情報及び、プロファイル情報が選択され、その利用者毎の嗜好に合わせたTV視聴が可能なTV放送視聴システム。
【請求項１４】
請求項１３において、個人を認証する機能を付加したリモコン装置を有し、前記リモコン装置により、TV操作時、利用者のユーザプロファイルにより、利用者の嗜好にあったTV放送を自動的に選択可能なTV放送視聴システム
【請求項１５】
利用者の個人情報と利用者が参照した情報を基に利用者の嗜好を示すユーザプロファイルデータを作成するステップと、
予め、Internetから収集蓄積された放送番組情報を基に利用者の嗜好データの収集と同じ方法で作成された、放送番組毎の番組プロファイルデータを作成するステップと、
前記作成されたユーザプロファイルデータと前記作成された番組プロファイルデータとを比較し、前記比較結果に基づき所定の放送受信を行うことを特徴とするTV放送視聴方法。
【請求項１６】
請求項１５に記載のTV放送視聴方法において、前記番組プロファイルデータは、放送に含まれる字幕等のテキストデータを、放送番組中の放送時間データと共に取得し作成することを特徴とする、TV放送視聴方法。
【発明の詳細な説明】
【技術分野】
【０００１】
本発明は、ユーザのプロファイルデータを自動的に収集し、さらに、TV放送番組のプロファイルについても同様に取得することで、利用者の嗜好にあった放送の視聴を可能とし、また、そのプロファイルを作成するルール及び、各種プロファイル、社会常識、流行等を、各利用者に提供することで、より、ユーザの嗜好にあったTV放送を視聴するシステムの実現方式に関する。
【背景技術】
【０００２】
近年、TV放送チャンネルの多チャンネル化、放送のデジタル化が進行し、また、HDDレコーダに代表される、より使いやすい録画システムも普及しつつある。また、放送番組の多様化に従い、ユーザの視聴対象となる放送番組が増加するなかで、利用者が自分の見るべき放送、保存すべき放送を選択するのは、非常に困難になってきている。実際にこれらの課題を解決するための特許として、特開２００２-３００６１４号公報があげられる。これは、予め、番組をジャンル別に分類する情報を付加すると共に、それに対応する、利用者の嗜好情報を登録することで、その情報を比較し、利用者が希望する放送コンテンツを選択する機能を提供するものである。
【０００３】
【特許文献１】特開２００２-３００６１４号公報
【発明の開示】
【発明が解決しようとする課題】
【０００４】
しかしながら、上記公報の様に、予め放送番組毎にジャンル別の分類情報を付加しておく方式については、当然ながら、その分類を予め作成しておく必要があり、その情報が存在しないコンテンツについては、コンテンツ選択の対象とはなり得ないといった問題がある。また、固定の嗜好分類情報であり、新たなキーワードや流行等への対応も困難である。また、利用者が興味のあるデータを予め、登録するという方式においては、まず、第１に利用者にその登録という負担を強いること。さらに、その登録データが本当に、その利用者の嗜好を正しく表しているがという問題も考えられる。さらには、利用者の嗜好をいうものは、日々、変化していくものであり、その変化に対応するために、日々、利用者に登録した嗜好情報の更新を要求するのは、現実的な解決策とはいえない。
そこで、本発明の目的は、利用者に負担をかけずに、利用者の嗜好情報を把握し、利用者が真に望む、放送番組の選択し、提供することである。
【課題を解決するための手段】
【０００５】
本発明は、利用者の個人情報と利用者が参照した情報を基に利用者の嗜好を示すユーザプロファイルデータを作成し、それを予め、Internetから収集蓄積された放送番組情報を基に利用者の嗜好データの収集と同じ方法で作成された、放送番組毎の番組プロファイルデータとを比較し、利用者が望むTV放送を提示し放送受信を行う、TV放送視聴システム及びTV放送視聴方法である。
【０００６】
本発明は、TV放送視聴システムにおいて、利用者が望む内容として受信したTV放送をTV放送を受信する装置に設けられた放送記憶手段に保存し、その際、放送に含まれる、字幕等のテキストデータを取得し、放送番組中の放送時間データと共に保存し、そのテキストデータを利用者の嗜好データの収集と同じ方法で番組のプロファイルデータを更新・保存することで、利用者が望むより近いTV放送の視聴が可能な、TV放送視聴システムである。
本発明は、TV放送視聴システムにおいて、放送中の時間情報にリンクしてプロファイルデータを収集することで、録画した番組中のより興味のある箇所のみのTV視聴を可能としたTV放送視聴システムである。
【０００７】
本発明は、TV放送視聴システムにおいて、利用者の嗜好データに加え、Internet上で予め蓄積した、社会常識や流行に関わるデータをInternetからそれぞれのTV放送視聴システムに取得し、利用者の嗜好情報をあわせて、放送番組毎の番組プロファイルデータと比較することで、社会常識や、流行において、その中で個人の嗜好を反映したTV番組の視聴を可能とする、TV放送視聴システムである。
本発明は、Internet上で蓄積した社会常識や流行に関わるデータを活用したTV放送視聴システムにおいて、利用者の嗜好データについても、Internetで管理する、社会嗜好や情報に関するデータに反映する手段を設けることで、より、社会常識や流行に関するデータの精度を上げていくことを特徴とする、TV放送視聴システムである。
【０００８】
本発明は、利用者の嗜好データを収集する処理において、その処理に必要な抽出に関するルールを、抽出ルールとして外部から提供する手段と、そのデータそのものをInternet上の管理サーバで管理することで、必要に応じて、各、TV放送視聴システムの利用者毎にその抽出ルールを提供することを可能とし、かつ、利用者の嗜好に合わせて、抽出ルールが更新されていく手段を設けることで、利用者の嗜好データの収集アルゴリズムの更新が可能な機能を有したTV放送視聴システムである。
本発明は、利用者の嗜好を示すデータを階層的に管理することで、嗜好を示すキーワードのメンテナンス性を確保し、かつ、その階層毎に、分野毎の嗜好テーマから、より詳細な個別嗜好テーマに対応することが可能なユーザプロファイルの管理が可能なTV放送視聴システム用の嗜好データの管理方式である。
【０００９】
本発明は、嗜好データの管理方式において、抽出ルールに従い抽出されたキーワードが新たなキーワードであった場合、それを、Internet上の共用サーバのデータとして反映可能な機能を持つ、嗜好データの管理方式である。
本発明は、予め収集された利用者の職業、性別、年齢、出身地、趣味等のパーソナル情報と、その利用者の嗜好を示すユーザプロファイルを組み合わせて、Internet上の共用管理サーバに提供することで、第三者が、別の利用者のプロファイルデータを基に、視聴するTV番組の選択を可能とする、TV放送視聴システムである。
【００１０】
本発明は、TV放送視聴システムにおいて、利用者が提供したユーザプロファイルを、そのパーソナル情報を基にグループ化することで、特定の職業の人に特化したプロファイルを生成し、そのパーソナリティに従った視聴する番組の選択を可能とするTV放送視聴システムである。
本発明は、TV放送視聴システムにおいて、利用者が予め指定することで、その利用者のパーソナル情報及び、プロファイル情報のInternet上の共用管理サーバへの提供を抑止することが可能な、TV放送視聴システムである。
本発明は、TV放送視聴システムにおいて、利用者が提供したーソナル情報と、その利用者の嗜好を示すユーザプロファイルに対価を設定し、利用者の多いパーソナル情報については、その対価をプロファイル提供者に還元することが可能なTV放送視聴システムである。
本発明は、家庭内等、複数の利用者を有する利用環境において、利用者が利用する操作用のリモコン及びそれに類する装置に個人を特定するIDを付加する機能を設けることで、その利用者毎の、パーソナル情報及び、プロファイル情報が選択され、その利用者毎の嗜好に合わせたTV視聴が可能なTV放送視聴システムである。
本発明は、個人を認証する機能を付加したリモコン装置により、TV操作時、利用者のユーザプロファイルにより、利用者の嗜好にあったTV放送を自動的に選択可能な、リモコン装置及び、TV放送視聴システムである。
【００１１】
本発明によれば、視聴番組の選択において、新たな情報を社会全体として定義する必要もなく、かつ、利用者の負担を最小限とし、本当に見たいTV番組の選択が可能である。その際のプロファイルの作成条件となる、抽出ルールは、随時更新されるため、新たな分野等についても、柔軟に対応し最適な視聴番組情報を提供することが可能である。また、社会常識や流行をベースとした検索や、ある特定の集団の持つプロファイルによる番組の選択等、新たなTV放送の視聴スタイルを提供することが可能となる。
【発明の効果】
【００１２】
本発明によれば、視聴番組の選択において、利用者の負担を最小限とし、利用者の嗜好にあったTV放送の視聴を可能とできる。
【発明を実施するための最良の形態】
【００１３】
以下本発明の実施の形態について図面を用いて説明する。
まず、本発明の一実施例の概要を図１を用いて説明する。図１は、本発明の一実施例によるシステム構成の一例である。図１において、101は、ホームーサーバである。これは、放送番組の受信及び、保存が可能で、かつ、Internetに接続可能な、家庭用のネットワークサーバの位置づけである。すなわち、ホームサーバは、放送の受信機能及び、Internetとの交信機能及び、各種Internetから入手できるデータの保存及び、放送データの保存機能を有する。これらのデータは、パーソナルDB102に保存される。ホームサーバに保存された放送は、本サーバに接続されたＴＶ103より視聴が可能である。また、PC105からも、放送の参照が可能であり、かつ、ホームサーバ101のパーソナルDB102に格納された各種管理情報の更新も可能である。PC105は、家庭内LAN106を経由し、ホームサーバ101にアクセスする。リモコン104は、主に、ホームサーバ101に保存された放送番組の視聴や、TV103の操作に使用する。このリモコンは、必要に応じて、携帯情報端末で代用したり、携帯電話等での代用も考えられる。家庭内のネットワークは、ルータ107を経由して、Internet108に接続される。Internetには、今回のシステムを構成する１要素である、共用DB110を収容した、共用サーバ109や、その他のＩｎｔｅｒｎｅｔサーバ112に接続される。
【００１４】
次に、これの具体的な例について、図２を用いて説明する。
図２は、このシステムの具体的な構成例である。大きく分類すると、利用者のプロファイルを収集するための、プロファイルデータ抽出・登録201と、TVキーワード抽出203、視聴/録画番組データ抽出202、推奨番組処理225に分けられる。プロファイルデータ抽出・登録201は、利用者を個人特定ID217で認識した上で、個人毎に、個人が送受信を行った、メール214や、参照ホームページ215のコンテンツの内容及び、そのページを取得するのに使用した、検索キーワードや、操作キーワード218を抽出ルール２０６に従い、キーワードの抽出、キーワードの分類、キーワードの重み付けを行い、ユーザプロファイル情報として、ユーザプロファイル205に登録する。
【００１５】
抽出ルール206は、Internet上の共用サーバ109に保存されている、抽出ルール211を取得し、また、ルール変更にあわせて、相互に更新を行う。ユーザ情報216は、パーソナル情報204に保管される。本実施例においては、パーソナル情報204を保存する前提で説明するが、本情報が存在しなくても、ユーザプロファイル205に従い、嗜好する番組情報の検索は可能である。また、社会常識・流行DB207は、共用サーバ109の社会データ抽出221の機能で、Internet上より収集した情報を基に、社会常識・流行DB212を構築し、その情報を、社会常識・流行DB207に取得する。この情報をどの程度反映して、嗜好する番組情報を検索するかを決めることで、利用者の嗜好よりの番組であるか、より社会常識よりの番組を提案するか等、変化することになる。
【００１６】
この社会情報・流行DBに、利用者毎の、パーソナル情報204、ユーザプロファイル205を基に作成した嗜好情報を社会常識・流行DBに反映することも可能である。また、ユーザプロファイルベース224は、各利用者のユーザプロファイル205を生成する際の基となるデータを格納しており、各利用者が使うにつれ、ユーザプロファイルベース224とは、内容が変化していくこととなる。これも、必要に応じて、ユーザプロファイルの基本構成として、利用者側から、共用サーバ109側に情報提供も可能である。
【００１７】
受信するTV番組は、予め、Internetサーバ112のEPGデータ112を参照して、その番組情報を基に、抽出ルール206を適用しTV番組プロファイル222を生成する。このTV番組プロファイル222とユーザプロファイル205を比較し、利用者の嗜好にあった番組を選択する。また、この際選択された、番組は、録画ファイル209に録画され、保存される。保存された番組は、放送時さらに、字幕データ208等の付随データが入手できるため、この情報をさらに、視聴/録画番組データ抽出202により、放送番組中の相対位置情報等と併せて管理され、TV番組プロファイル222に登録される。また、この際、TV番組プロファイル222から自動的に抽出されて録画された番組以外の情報も、同様に、視聴/録画番組データ抽出202より、データの抽出が行われる。
【００１８】
さらに、視聴/録画番組データ抽出202は、実際に、利用者が、TV103を使って参照した際には、ユーザプロファイル205に対しても、嗜好データとして、ユーザプロファイルの更新を行う。推奨番組処理225は、予め、もしくは、当日、TV番組プロファイル222及び、ユーザプロファイル205を参照し、利用者に提供する番組視聴プログラムを提供する。本番組は、リモコン104の個人特定ＩＤ217により、利用者を特定し、TV１０３に該当番組を表示する。また、この情報は、視聴管理DB２２６にも保持される。
【００１９】
図３は、ユーザプロファイル２０５の一例を示したものである。このファイルは、ユーザプロファイルＩＤ305毎に管理され、また、情報の収集時期306でも管理される。抽出された興味を示すキーワード302は階層構造によって管理され、それぞれ、興味度合い304が数値によって示される。この数値は、その下位成分の興味度合いを合算したものであり、この数値が大きいほど、利用者の嗜好に合致しているものである。たとえば、スポーツ315は、その下位項目として、球技329、水泳330、オリンピック331をもっている。この表では、割愛しているが、さらに下位構造体があってもよい。これらの表は、予め、抽出ルール206の持つルールによって作成される。また、抽出ルール206に存在しないルールについては、適宜、新たなルールが抽出ルール206に追加されることで、新たなデータに対応する。図３のユーザプロファイル205においては、この利用者は、スポーツ315のジャンルに興味を持ち、さらに、オリンピック331の情報に強い関心を持っていることを示している。
【００２０】
図４は、パーソナル情報204の一例を示したものである。本情報は、利用者の個人個人の基本的な情報を管理するものであり、本パーソナル情報204と、ユーザプロファイル205を組み合わせて、共用サーバ109上で管理することで、ユーザのパーソナル情報毎のユーザプロファイルを用いた嗜好にあった番組の視聴が可能となる。また、このパーソナル情報204は、あくまで一例であり、趣味等の項目があってもかまわないことは、言うまでもない。なお、本パーソナル情報204は、本TV放送視聴システムにおいては、必須の項目では無いため、利用者は、パーソナル情報204に情報を登録しないでも、本TV放送視聴システムを使用することが可能である。
【００２１】
図５は、TV番組プロファイル222の一例である。これは、ある番組のiEPG情報を基に生成されたデータの一例である。No501,キーワードの関連を示す、関連502、キーワード503、興味度合い、504により構成され、番組ID505、収録時期506の情報も同時に管理している。本番組はスポーツ515の興味度合い504値が高く、スポーツ番組であることが推測できる。
【００２２】
図６は、さらに、本番組の録画後、番組に付加されていた字幕情報を基に、さらに詳細な嗜好情報を収集した例である。No501,キーワードの関連を示す、関連502、キーワード503、興味度合い、504により構成され、番組ID505、収録時期506の情報も同時に管理している。単純なスポーツ番組では無く、文化611の興味度合いが、20を示しており、そのキーワード503は、歴史616と記録617によるものである。また、生活614の興味度合い504を含んでおり、そのキーワード603は、旅行618である。このことから、本番組は単なるスポーツ番組では無く、文化的要素、生活情報的要素を含んだ番組であることが推察される。この興味度合い504を、実際には、ユーザプロファイルの嗜好と比較することで、より利用者に適した番組の視聴提案ができることとなる。
【００２３】
図７に、番組情報から番組プロファイルを抽出する処理のシーケンスの一例を示す。
番組プロファイルを取得するためには、番組情報の入手が必要であり、その情報は、Internet108/Ｉｎｔｅｒｎｅｔサーバ112で提供されているiEPG情報をまず入手する。そのために、TV番組情報収集7０１で、実際にInternet上のiEPGサーバの情報を検索する。それに対して、iEPG情報送信702が行われ、番組の内容を示すデータが入手される。このデータを、抽出ルール206に従い、番組毎情報分析処理711を行い、TV番組プロファイル222を作成する。なお、この処理は、iEPGで提供されているすべての番組に対して実施する。また、実際に放送111を受信し、TV番組を録画ファイル209に保存する場合には、放送に含まれる字幕の分析を番組毎字幕データ分析処理712により実施し、それにより収集した情報をTV番組プロファイル222を更新する。また、その後必要に応じて、ＴＶ番組関連情報収集703を行い、Internet108条のInternetサーバ112より、その番組に対応したメタデータや、番組の関連情報の収集を行い、番組毎情報分析処理711により、TV番組プロファイル222を更新する。
【００２４】
図８に、プロファイルを抽出するための抽出ルール206の更新処理シーケンスを示す。最初にホームサーバ101を起動した際には、ホームサーバ101より、共用サーバ109に対し、最新の抽出ルール211の取得処理を、抽出ルール取得依頼801により行い、抽出ルール提供802により、ホームサーバ101に抽出ルールが送信される。抽出ルール格納処理811により、ホームサーバ１０１に抽出ルール206が新規保存される。
【００２５】
また、抽出ルールを、ホームサーバ101の抽出ルール生成812で生成した際は、その新抽出ルールを、抽出ルール更新803により、共用サーバ109に提供される。共用サーバ109では、その新抽出ルールの取り込み判定を行い、その結果を抽出ルール更新結果通知804で該当ホームサーバ101に通知する。ホームサーバ101の抽出ルール格納811処理は、抽出ルール更新結果通知804に従い、抽出ルールの更新処理を行う。
【００２６】
図９にユーザプロファイルの更新において、ホームサーバ101を経由して、Internetの検索を行った場合の情報収集シーケンスを示す。ホームサーバに接続されたPC105等から入力された検索キーワードは、ホームサーバ101にも通知される。この仕掛けは、proxy等の仕掛けを使うことにより実現可能である。これが、利用者が投入した検索キーワードである場合、検索キーワード収集処理911において、検索キーワードからの抽出処理を行い、ユーザプロファイル205を更新する。その後、Internet情報検索901が、Internet108に対して行われ、Internet上の検索サーバに検索キーが通知される。
この応答として、検索情報一覧902が、ホームサーバ101を経由して、PC105に通知される。さらに、この検索情報一覧に対し、参照したい項目を選択し、参照項目選択903を実施し、該当ページ表示904が実施される。この該当ページ情報を、ホームサーバ101の選択ページ情報収集処理912において、キーワードの抽出を抽出ルール206に従って実施し、ユーザプロファイル205を更新する。
【００２７】
図１０にユーザプロファイルの更新処理の一例を示す。
図１０に、ユーザプロファイル205の更新処理シーケンスを示す。最初にホームサーバ101を起動した際には、ホームサーバ101より、共用サーバ109に対し、最新のユーザプロファイルベースDB２２４の取得処理を、ユーザプロファイルベース取得依頼1001により行い、ユーザプロファイルベース提供1002により、ホームサーバ101にユーザプロファイルベースDB224が送信される。ユーザプロファイルベース格納処理1011により、ホームサーバ１０１にユーザプロファイル205が新規保存される。
【００２８】
また、ユーザプロファイルの新規項目を、ホームサーバ101のユーザプロファイルベース生成1012で生成した際は、その新ユーザプロファイルデータ項目を、ユーザプロファイルベース更新1003により、共用サーバ109に提供される。共用サーバ109では、その新ユーザプロファイルデータ項目の取り込み判定を行い、その結果をユーザプロファイルベール更新結果通知1004で該当ホームサーバ101に通知する。ホームサーバ101のユーザプロファイルベース格納1011処理は、ユーザプロファイルベール更新結果通知1004に従い、ユーザプロファイル項目の更新処理を行う。
【００２９】
図１１に社会常識・流行DB207の情報取得処理の一例を示す。共用サーバ109で収集される社会常識・流行情報は、データベースの形で、社会常識・流行DB２１２として、共用サーバ109に格納される。ホームサーバ101は、本DBの情報を定期的に共用サーバ109に収集にいくことで、最新の社会常識・流行データを入手することができる。社会常識・流行DB207の更新時、ホームサーバ101は、社会常識・流行ＤＢ情報取得依頼1101を、共用サーバ109に送信する。共用サーバ109は、それに対し、更新情報を、社会常識・流行DB情報提供1102として、ホームサーバ101に送信する。ホームサーバ101は、社会常識・流行DB情報格納1111を起動し、社会常識・流行DB207の更新処理を行う。また、利用者のパーソナル情報204と、ユーザプロファイル205を組み合わせた、ユーザ毎のプロファイル情報を、共有データとして、社会常識・流行情報として提供することも可能である。
【００３０】
この場合、ホームサーバ101上で、パーソナルデータプロファイル情報（興味データ）生成/提供処理1112を使用し、ユーザのパーソナル情報とプロファイル情報を、利用者の望む、もしくは、認める形での共用サーバ109への提供を提供する。この機能により提供されたプロファイル情報を活用することで、さらに、社会常識・流行の一般的な潮流を収集することが可能となることに加え、あるグループ（職業、年齢、居住地等々）毎のプロファイルを統合することで、あるグループに所属する利用者が興味のあるTVを視聴したりすることが可能となる。この機能を実現するため、パーソナルデータプロファイル情報（興味データ）生成/提供処理1112により、共用サーバ109に社会常識・流行DB情報提供110３として、情報の提供を行う。
【００３１】
逆に利用する際は、どのようなジャンルのグループのプロファイルが必要かを指定した上で、ホームサーバ101より、共用サーバ109に対し、社会常識・流行情報分野別データ要求1104を共用サーバ109に送信する。共用サーバ側は、指定された社会常識・流行情報分野別データを社会常識・流行情報分野別データ提供1105として、ホームサーバ101に送信する。ホームサーバ101は、社会常識・流行情報分野別データ情報格納1113を起動し、該当情報を、ホームサーバ101の社会常識・流行DB２０７に格納し、視聴番組の検索に利用する。
【００３２】
図１２に、利用者のプロファイルデータの抽出を行う処理フローの一例を示す。プロファイルデータ抽出・登録処理201は、キーワード抽出処理1201によって、メール214や、参照ホームページ215、検索条件等の操作キーワード218、また、実際に視聴したTV番組の字幕データ208等の、ユーザの興味を示すデータを含むテキスト情報から、抽出ルール206に従い、必要なキーワードの抽出を行う。その後、抽出したキーワードに対し、キーワード分類処理1201において、キーワードのジャンル別の分類を行う。このジャンル別の分類についても、抽出ルール206に定義された情報を基に実施する。さらに、抽出・分類されたキーワードを文章の内容等により、キーワード重み付け処理1203により、重み付けを行いこれらの処理によって行われた処理の結果を、ユーザプロファイル登録1204によって、ユーザプロファイル205の更新を行う。
【００３３】
図１３にTVキーワード抽出処理203の処理フローの一例を示す。TVキーワード抽出処理203は、キーワード抽出処理1301によって、iEPGデータ213や、番組関連データ223を参照し、番組の内容を示すテキスト情報から抽出ルール206に従い、必要なキーワードの抽出を行う。その後、抽出したキーワードに対し、キーワード分類処理1302において、キーワードのジャンル別の分類を行う。このジャンル別の分類についても、抽出ルール206に定義された情報を基に実施する。さらに、抽出・分類されたキーワードを文章の内容等により、キーワード重み付け処理1303により、重み付けを行いこれらの処理によって行われた処理の結果を、TV番組プロファイル登録1304によって、TV番組プロファイル222の更新を行う。この処理は、実際に受信を行う前に実施する。
【００３４】
図１4に視聴/録画データ抽出処理202の処理フローの一例を示す。視聴/録画データ抽出処理202は、キーワード抽出処理1401によって、iEPGデータ213や、番組関連データ223、字幕データ208を参照し、番組の内容を示すテキスト情報から抽出ルール206に従い、必要なキーワードの抽出を行う。その後、抽出したキーワードに対し、キーワード分類処理1402において、キーワードのジャンル別の分類を行う。このジャンル別の分類についても、抽出ルール206に定義された情報を基に実施する。さらに、抽出・分類されたキーワードを文章の内容等により、キーワード重み付け処理1403により、重み付けを行いこれらの処理によって行われた処理の結果を、TV番組プロファイル登録1404によって、TV番組プロファイル222の更新を行う。この処理は、実際に受信を行う際、もしくは、録画時に実施する。
【００３５】
図１５に、利用者に提供する推奨番組を選択する、推奨番組処理225の処理フローの一例を示す。TV番組プロファイル222を参照し、今日視聴することが可能なTV番組の抽出処理を1501で行う。抽出した番組プロファイルをユーザの嗜好を示すユーザプロファイル205比較1502を行う。その番組が利用者の嗜好にあった番組であった場合、すでに録画された番組であるか否かを判断1503する。未録画（これから放送される番組）である場合、視聴管理DB２２６に、本日の推奨番組登録1504を行い、リアルタイムで放送される際の視聴対象リストに加える。また、録画対象番組として、視聴管理DB226に同様に登録処理を行う。また、すでに、録画済みである場合、TV番組に登録された受信したことにより入手した詳細な番組プロファイル情報を参照し、それをユーザプロファイルとの比較1506処理を行う。比較結果を基に、視聴管理DB226の推奨優先度の更新1507を行い、リアルタイムでみるものも含めて、本日みるべき番組の優先度の調整を行う。この場合、社会常識・流行DB情報等も参照し、必要に応じて、番組の視聴優先度を変更することも可能である。また、優先度のデータを基に、利用者に推奨番組を提案する処理においては、自動的に１つの番組を提案する機能に加え、
ある程度、ユーザのチョイスも可能な提案をすることも考えられる。
【００３６】
図１６に、リモコン装置１０７による、利用者個人特定のイメージを図に示す。通常の家庭での利用を想定した場合、同一のホームサーバ101を複数の家族で共有することは容易に想像できる。その際、視聴したい番組は、個人によって全くことなることが予想されるため、ユーザプロファイル及び、視聴管理DBは、個人毎に管理する必要がある。この切り替えにおいては、利用者の選択に任せる方法もあるが、その場合、プライバシーの問題も考えられるため、利用するリモコン107及び、これに類する装置に、個人を特定する機能及び、個人特定ID217を送出する手段を設けることで、その時点で操作している利用者を特定した推奨番組の提案や、プロファイルの学習が可能となる。
【００３７】
図１７に、リモコン１０７の装置構成図の一例を示す。CPU1701は、このリモコン107において、各種プログラムの実行を行う。記憶装置は1702は、ＲＡＭ・ROM・ＦＬＡＳＨメモリ及び、ハードディスク装置等の大容量記憶装置であり、この実施例においては、リモコン側の操作プログラムの格納や、個人特定ID２１７の保管等に利用される。通信装置1703は、ホームサーバ101との通信を実現する手段であり、赤外線による通信をはじめとして、無線LANや、Bluetooｔｈ等による通信も考えられる。入力装置1704は、リモコン107としての操作を実現するものであり、キーパッド、タッチパネル等が考えられる。
表示装置1705は、操作状況を表示するものであり、LCD等が考えられる。個人認証装置1706は、今、使っている人を特定するものであり、ソフトウェア的には、キーパットによるパスワード入力によるものや、非接触カードを利用したもの、生体認証（指紋、静脈等）による機能等が考えられる。今回は、リモコン装置ということで、ホームサーバ101の操作に限定しているが、ホームサーバ101に保存されたTV番組を本リモコン107装置の記憶装置に転送することで、個人用のビュワーとしての活用も考えられる。
【図面の簡単な説明】
【００３８】
【図１】本発明の一実施例による全体の構成をしめすシステム構成図である。
【図２】本発明の一実施例による具体的な構成図である。
【図３】ユーザプロファイルを保管するファイルの構造を示した説明図である。
【図４】パーソナル情報を保管するファイルの構造を示した説明図である。
【図５】TV番組プロファイルを保管するファイルの構造を示した説明図である。
【図６】TV番組プロファイルを保管するファイルの利用例の説明図である。
【図７】番組情報から番組プロファイルを抽出する処理シーケンス図である。
【図８】抽出ルールの更新処理シーケンス図である。
【図９】ユーザプロファイルの更新をInternet検索情報を基に行う場合のシーケンス図である。
【図１０】ユーザプロファイルの基本情報の更新及び、構成データの更新処理のシーケンス図である。
【図１１】社会常識・流行情報の収集及び、社会常識情報の流通に関する処理シーケンス図である。
【図１２】プロファイルデータ抽出・登録処理の処理フロー図である。
【図１３】TVキーワード抽出処理の処理フロー図である。
【図１４】視聴/録画番組データ抽出処理の処理フロー図である。
【図１５】推奨番組処理の処理フロー図である。
【図１６】ユーザ別のプロファイルの切り替えのイメージ図である。
【図１７】プロファイルの切り替え時に使用する操作リモコンのハードウェア構成図である。
【符号の説明】
【００３９】
１０１…ホームサーバ、１０３…TV、１０４…リモコン、１０５…ＰＣ、１０９…共用サーバ１１１…放送、１１２…Intenetサーバ、２０１…プロファイルデータ抽出・登録処理、２０２…視聴/録画番組データ抽出、２０３…TVキーワード抽出処理、２０４…パーソナル情報、２０５…ユーザプロファイル、２０６…抽出ルール、２０７…社会常識・流行DB、２０８…字幕データ、２０９…録画ファイル、２１１…抽出ルール、２１２…社会常識・流行DB、２１３…iEPGデータ、２１４…メール、２１５…参照ホームページ、２１６…ユーザ情報、２１７…個人特定ID、２１８…操作キーワード、２１９…ユーザ情報、２２０…視聴番組、２２１…社会データ抽出、２２２…TV番組プロファイル、２２３…番組関連データ、２２４…ユーザプロファイルベースDB、２２５…推奨番組処理、２２６…視聴管理DB
【図１】
2006203593.tif 000003
【図２】
2006203593.tif 000004
【図３】
2006203593.tif 000005
【図４】
2006203593.tif 000006
【図５】
2006203593.tif 000007
【図６】
2006203593.tif 000008
【図７】
2006203593.tif 000009
【図８】
2006203593.tif 000010
【図９】
2006203593.tif 000011
【図１０】
2006203593.tif 000012
【図１１】
2006203593.tif 000013
【図１２】
2006203593.tif 000014
【図１３】
2006203593.tif 000015
【図１４】
2006203593.tif 000016
【図１５】
2006203593.tif 000017
【図１６】
2006203593.tif 000018
【図１７】
2006203593.tif 000019